(57)【要約】【課題】  折り畳み式携帯電話機のヒンジユニットにＦＰＣを取り付ける際に、ＦＰＣに対して特別な細工を施すことなく、極めて簡単に取り付けを行うことが可能なようにする。【解決手段】  ＦＰＣ２を保持するためのＦＰＣホルダ５において、ＦＰＣ２を載置するための載置面に平行する面内に、少なくとも３個の爪部５１〜５３を設けておき、この載置面にＦＰＣを載置してこれら３個の爪部と載置面との隙間で、ＦＰＣを挟止するようにしたものである。特に、ＦＰＣには屈曲部が設けられており、爪部のうち２個の爪部５１，５３により、この屈曲部の角部の両辺を挟止するようにし、また１個の爪部５２により、屈曲部の角部の他の辺を挟止することにより、外力の集中が分散され、よってＦＰＣの一部の強度を他よりも強くするための細工などが不要になる。【選択図】      図３                                                  
2005311003.tif 000002
【特許請求の範囲】
【請求項１】
フレキシブルプリント板（ＦＰＣと称す）を保持するための保持部材であって、前記ＦＰＣを載置するための載置面と、この載置面に平行する面内に設けられた少なくとも３個の爪部とを含み、前記載置面に前記ＦＰＣを載置して前記爪部と前記載置面との隙間において前記ＦＰＣを挟止するようにしたことを特徴とするＦＰＣ保持部材。
【請求項２】
前記ＦＰＣは屈曲部を有し、前記爪部のうち２個の爪部により、前記屈曲部の角部の両辺を挟止するようにしたことを特徴する請求項１記載のＦＰＣ保持部材。
【請求項３】
前記爪部のうちの１個の爪部により、前記屈曲部の角部の他の辺を挟止するようにしたことを特徴する請求項２記載のＦＰＣ保持部材。
【請求項４】
電子機器への取り付け用の弾性変形可能な爪部を、更に含むことを特徴とする請求項１〜３いずれか記載のＦＰＣ保持部材。
【請求項５】
第一及び第二ユニットと、前記第一ユニットに対して第二ユニットを展開自在に連結するヒンジユニットとを含み、前記ＦＰＣは前記第一及び第二ユニットのプリント回路基板間を電気的に接続するものであり、請求項１〜４いずれか記載のＦＰＣ保持部材を用いて、前記ヒンジユニットに対して前記ＦＰＣを取り付けたことを特徴とする折り畳み式電子機器。
【発明の詳細な説明】
【技術分野】
【０００１】
本発明はＦＰＣ（フレキシブルプリント板：Flexible Printed Circuit）保持部材及びそれを用いた折り畳み式電子機器に関し、特にＦＰＣケーブルを保持して回動するヒンジユニット等に取り付けるためのＦＰＣホルダの構造に関するものである。
【背景技術】
【０００２】
携帯端末である携帯電話機においては、表示部を有する上側ユニットと、操作部を有する下側ユニットとを、ヒンジユニットアッセンブリにて連結して、下側ユニットに対して上側ユニットを展開自在に構成した折り畳み式携帯電話機が広く普及している。この様な折り畳み式携帯電話機では、下側ユニットと上側ユニットとに、それぞれ電気回路がプリント基板等に組込まれており、両プリント基板間を電気的に接続することが必要である。そのために、ＦＰＣケーブル（以下、単にＦＰＣと称す）が用いられる。
【０００３】
折り畳み式携帯電話機において、このＦＰＣはヒンジユニットアッセンブリを介して上下ユニットのプリント基板に接続されるが、この場合、ＦＰＣをヒンジユニットアッセンブリ内で固定しておくことが必要になる。このＦＰＣの固定のために、ＦＰＣ固定用ホルダ（ＦＰＣ保持部材）を用いて、このホルダにＦＰＣを取付け、しかる後に、ホルダをヒンジユニットへ固定する構造が用いられている。このホルダにＦＰＣを取付ける場合、ＦＰＣのホルダ取付け箇所周縁部に突出した、いわゆるベロ部分を設けておき、このベロ部分を、ホルダに設けられたベロ挿入孔へ挿入する構造となっている。
【０００４】
また、特許文献１、２を参照すると、ＦＰＣをＦＰＣ固定用ホルダであるターミナルに取付ける場合、ＦＰＣの載置面と、その面に対向するように設けられたバレルと称する曲がり梁部とにより、ＦＰＣを挟止して当該曲がり梁部を載置面に対して圧着するようにして、ＦＰＣを固定する構造が開示されている。
【特許文献１】特開平１０−２７５６４２号公報
【特許文献２】特開平１１−０８６９８５号公報
【発明の開示】
【発明が解決しようとする課題】
【０００５】
ＦＰＣにベロ部分を設けて、このベロ部分をホルダのベロ挿入孔へ挿入する構造では、このベロ部分に外力が集中するので、当該ベロ部分に強度を持たせるための細工（他の部分よりも厚くする等）が必要であり、またＦＰＣにベロ部分を設けることが必要となり、製造工数及びコストの増大を招く。
【０００６】
また、上記特許文献１、２における構造では、曲がり梁部を複数設けて、この複数の曲がり梁部でＦＰＣを挟止することにより、集中応力をなくして、外力の分散を図っているが、曲がり梁部と対向するＦＰＣ載置面上にも、凹部を設けて、ＦＰＣの挟止力を高めるようになっている。従って、ＦＰＣをこのターミナルへ取付けるためには、ＦＰＣを載置面上に載置した後に、曲がり梁部を工具を用いてかしめる作業が必要になり、この構造では、ＦＰＣに対して極めて大なる力が作用するような大がかりでコスト増が問題とならない装置に対しては効果的であるが、上述したような折り畳み式携帯端末などのような、小型軽量で低コストが要求されるような機器には不適である。
【０００７】
本発明の目的は、折り畳み式携帯端末のヒンジユニット部分にＦＰＣを取付る際に、ＦＰＣに対しては特別な細工を施すことなく、極めて簡単にＦＰＣを取付けることが可能なＦＰＣ保持部材及びそれを用いた折り畳み式携帯端末を提供することである。
【課題を解決するための手段】
【０００８】
本発明によるＦＰＣ保持部材は、フレキシブルプリント板（ＦＰＣと称す）を保持するための保持部材であって、前記ＦＰＣを載置するための載置面と、この載置面に平行する面内に設けられた少なくとも３個の爪部とを含み、前記載置面に前記ＦＰＣを載置して前記爪部と前記載置面との隙間において前記ＦＰＣを挟止するようにしたことを特徴とする。
【０００９】
そして、前記ＦＰＣは屈曲部を有し、前記爪部のうち２個の爪部により、前記屈曲部の角部の両辺を挟止するようにしたことを特徴とし、また前記爪部のうちの１個の爪部により、前記屈曲部の角部の他の辺を挟止するようにしたことを特徴する。更に、電子機器への取り付け用の弾性変形可能な爪部を含むことを特徴とする。
【００１０】
本発明による電子機器は、第一及び第二ユニットと、前記第一ユニットに対して第二ユニットを展開自在に連結するヒンジユニットとを含み、前記ＦＰＣは前記第一及び第二ユニットのプリント回路基板間を電気的に接続するものであり、上記のＦＰＣ保持部材を用いて、前記ヒンジユニットに対して前記ＦＰＣを取り付けたことを特徴とする。
【００１１】
本発明の作用を述べる。折り畳み式の携帯電話機などの電子機器において、ＦＰＣを保持するための保持部材に対して、ＦＰＣを載置するための載置面に平行する面内に、少なくとも３個の爪部を設けておき、この載置面にＦＰＣを載置してこれら３個の爪部と載置面との隙間で、ＦＰＣを挟止するようにしたものである。特に、ＦＰＣには屈曲部が設けられており、爪部のうち２個の爪部により、この屈曲部の角部の両辺を挟止するようにし、また１個の爪部により、屈曲部の角部の他の辺を挟止することにより、外力の集中が分散され、よってＦＰＣの一部の強度を他よりも強くするための細工などが不要になる。
【発明の効果】
【００１２】
本発明によれば、ＦＰＣをヒンジユニットアッセンブリに取付けるためのＦＰＣホルダに、ＦＰＣの少くとも３ヶ所で挟止するための爪部を設けたので、ＦＰＣのホルダへの取付けがより強固となると共に、複数ヶ所で挟止するようにしたので、ＦＰＣへ加わる外力が分散され、ＦＰＣの損傷もなくなるという効果がある。更に、ＦＰＣのホルダへの取付けのために、ＦＰＣ自身に対して、何等の細工を施す必要もないという効果がある。
【発明を実施するための最良の形態】
【００１３】
以下に、図面を用いて本発明の実施の形態について詳細に説明する。図１は本発明の実施の形態に用いるＦＰＣの平面図である。本ＦＰＣ２は、基本的に、上側ユニットのプリント基板に接続される上側ユニット接続部２４と、下側ユニットのプリント基板に接続される下側ユニット接続部２５と、上側ユニット接続部２４から図の水平方向に伸長した水平方向伸長部２１と、下側ユニット接続部２５から図の垂直方向に伸長した垂直方向伸長部２２と、これら両伸長部を連結するための屈曲部２３とからなっている。これら各部２１〜２５は平面形状である。
【００１４】
図２は上述したＦＰＣ２を保持して、２軸ヒンジユニットアッセンブリ１０（図４，５参照）に固定するためのＦＰＣホルダ５の構造を示している。図２（Ａ）は表面斜視図、（Ｂ）および（Ｃ）は裏面斜視図、（Ｄ）は正面図、両側面図、裏面図を含む６面図である。図に示す如く、ＦＰＣホルダ５は、その裏面部分において、ＦＰＣ載置面と、このＦＰＣ載置面に平行な面内に設けられた３ヶ所のＦＰＣ挟止用爪部５１〜５３を有しており、図３にＦＰＣ２とＦＰＣホルダ５との取付関係を示すように、ＦＰＣ２の屈曲部２３における３ヶ所部分で、ＦＰＣホルダ５の３つの爪部５１〜５３とホルダ本体であるＦＰＣ載置面との間に挟持されて固定されることになる。
【００１５】
すなわち、ＦＰＣホルダ５の爪部５１〜５３とＦＰＣ載置面との間の隙間に、ＦＰＣ２の屈曲部２３の３ヶ所の側縁部が挿入されることにより、ＦＰＣホルダ５のＦＰＣ載置面上に、当該ＦＰＣ２の屈曲部２３が位置決めされ載置されると共に、３ヶ所のＦＰＣ挟止用爪部５１〜５３により、固定されるのである。
【００１６】
更に詳述すると、ＦＰＣ２の屈曲部２３の直角に曲がった角部を、ホルダ５のＦＰＣ載置面における直角部分に位置合わせすると共に、この直角部分の両辺のホルダ固定用爪部５１、５３、更には、爪部５１の辺とは反対の対向する辺に設けられたホルダ固定用爪部５２により、ＦＰＣ２の屈曲部２３の各周辺部を挟止するものである。
【００１７】
ＦＰＣホルダ５の裏面には、更に、このホルダを２軸ヒンジユニットアッセンブリ１０（図４、５参照）に取付けるためのホルダ固定用爪部５４、５５が設けられている。この一対の爪部５４、５５は、２軸ヒンジユニットアッセンブリ１０の中央部１２に嵌合するようになっている（いわゆるスナップ止め）。なお、このＦＰＣホルダ５は弾性変形自在なプラスチック材などにより構成されているために、２軸ヒンジユニットアッセンブリ１０へこのＦＰＣホルダ５を取付ける際には、ホルダ固定用爪部５４、５５が変形し、固定位置に達したときに、当該爪部５４、５５により、回動軸１１の中央部１２を挟み込むことで、簡単に、ＦＰＣホルダ５の中央部１２への取付けが、いわゆるワンタッチ操作（スナップ止め）で行えることになる。
【００１８】
なお、２軸ヒンジユニットアッセンブリ１０は、図４、５に示すように、図示せぬ下側ユニットに対して、図示せぬ上側ユニットを開閉するための第一回動軸１１と、この上側ユニットを所定角度（一般には、９０度）だけ展開した状態で、更にこの上側ユニットを、第一回動軸１１とは直交する方向に回動するための第二回動軸１４とが設けられている。第一回動軸１１の中央部には、この第二回動軸１４の取付機構部１２が設けられている。また、上側ユニットが第一回動軸１１を中心に回動するときの回動角（回動位置）を規制するための規制機構部１３が第一回動軸１１に設けられている。
【００１９】
ここで、再び図３を参照すると、図３に示した如く、ＦＰＣホルダ５をＦＰＣ２の屈曲部２３に取付けた状態で、図４、５に示した如く、ＦＰＣ２及びＦＰＣホルダ５を、２軸ヒンジユニットアッセンブリ１０へ取付けるのであるが、ＦＰＣ２の水平伸長部２１及び垂直伸長部２２を、以下に説明するように処理した後、ＦＰＣホルダ５を、第一回動軸１１の中央部である第二回動軸取付機構部１２へ取付けることになる。
【００２０】
図４を参照すると、（Ａ）は、２軸ヒンジユニットアッセンブリ１０に、ＦＰＣ２をＦＰＣホルダ５を介して取付けたときの正面図であり、（Ｂ）はその背面図であり、図５は、ＦＰＣ２が取付けられた２軸ヒンジユニットアッセンブリ１０と上側ユニットプリント基板３との取付関係を示す斜視図である。
【００２１】
図３に示した状態、すなわち、ＦＰＣ２の屈曲部２３にＦＰＣホルダ５を取付けた状態で、ＦＰＣ２の水平伸長部２１を、ヒンジユニットアッセンブリ１０の中央部１２から垂直に突出した第二回動軸１４に数回、余裕をもって巻きつける。その後、ＦＰＣホルダ５を、中央部１２に、上述したように、ワンタッチ操作のスナップ止めで取付ける。
【００２２】
そして、ＦＰＣ２の垂直伸長部２２を、ヒンジユニットアッセンブリ１０の第一回動軸１１に数回、余裕をもって巻きつける。このとき、第一回動軸１１の径が小なる部分（中央部１２や回動規制機構部１３以外の部分）に巻き付ける。
【００２３】
その後、ＦＰＣ２の上側ユニット接続部２４を、図５の上側ユニットのプリント基板３へ接続し、また下側ユニット接続部２５を、図示せぬ下側ユニットのプリント基板へ接続する。
【００２４】
なお、図５において、回動軸１４の先端に取付けられている部材１８は、ヒンジユニットアッセンブリ１０とプリント基板３とを、機械的に連結するためのヒンジブラケットであって、弾性材であるプラスチックからなる取付フレーム４を用いて、プリント基板３と２軸ヒンジユニットアッセンブリ１０とを連結するものである。
【００２５】
すなわち、プリント基板３とヒンジブラケット１８とを位置合わせして重ねた状態で、取付フレーム４を用いてヒンジブラケット１８を挟み込み、取付フレーム４の４本の爪部４１ａ、４１ｂ、４２ａ、４ｂを、プリント基板３の対応部分３１ａ、３１ｂ、３２ａ、３２ｂへ嵌め込む（いわゆるスナップ止めする）ことにより、プリント基板３と２軸ヒンジユニットアッセンブリ１０との機械的な連結が可能となる。
【００２６】
なお、図６は、２軸ヒンジユニットアッセンブリ１０を用いた場合の携帯電話機の外観斜視図を示すもので、（Ａ）は、上側ユニット２００の背面２０２が上面となる通常の閉状態を示し、（Ｂ）は、表示面２０１を有する上側ユニット２００を第一の回動軸１１を中心に回動させて、操作面１０１を有する下側ユニット１００に対して展開して約９０度開いた状態を示している。（Ｃ）は、（Ｂ）の状態から、上側ユニット２００を第二の回動軸１４を中心に回動させて、（Ｂ）の状態に対して、上側ユニット２００を、丁度１８０度向きを変えた状態を示し、（Ｄ）は、（Ｃ）の状態から、上側ユニット２００を、第一の回動軸１１を中心に回動させて、上側ユニット２００の表示面２０１が上にくるようにした状態を示しいる。この（Ｄ）の状態においても通話が可能な様に、上側ユニット２００の表示面２０１側にもレシーバ６が取り付けられている。
【００２７】
上記実施の形態では、２軸ヒンジユニットアッセンブリに適用したが、それに限定されることなく、一般に、ＦＰＣをある部分に固定するための構造に広く適用できることは勿論である。また、携帯電話機のみならず、携帯端末にも適用可能であり、更には、デジタルカメラやビデオカメラなどの電子機器にも適用できることは明白である。
【図面の簡単な説明】
【００２８】
【図１】本発明の実施の形態に用いるＦＰＣの平面図である。
【図２】本発明の実施の形態におけるＦＰＣホルダの構造を示しており、（Ａ）は表面斜視図、（Ｂ）および（Ｃ）は裏面斜視図、（Ｄ）は正面図、両側面図、裏面図を含む６面図である。
【図３】ＦＰＣ２とＦＰＣホルダ５との取付関係を示す図である。
【図４】（Ａ）は、２軸ヒンジユニットアッセンブリ１０に、ＦＰＣ２をＦＰＣホルダ５を介して取付けたときの正面図であり、（Ｂ）はその背面図である。
【図５】ＦＰＣ２が取付けられた２軸ヒンジユニットアッセンブリ１０と上側ユニットプリント基板３との取付関係を示す分解斜視図である。
【図６】本発明が適用される折り畳み式携帯電話機の外観斜視図である。
【符号の説明】
【００２９】
１  ヒンジユニット
２  ＦＰＣ
３  上側ユニットプリント基板
４  フレーム
５  ＦＰＣホルダ
６  レシーバ
１０  ２軸ヒンジユニットアッセンブリ
１１  第一回動軸
１２  第二回動軸取付機構部
１３  展開規制部
１４  第二回動軸
１８  ヒンジブラケット
２１  水平伸長部
２２  垂直伸長部
２３  屈曲部
２４  上側ユニットプリント基板接続部
２５  下側ユニットプリント基板接続部
５１〜５３  ＦＰＣ挟止用爪部
５４，５５  ホルダ固定用爪部
１００  下側ユニット
１０１  操作面
２００  上側ユニット
２０１  表示面
２０２  背面
【図１】
2005311003.tif 000003
【図２】
2005311003.tif 000004
【図３】
2005311003.tif 000005
【図４】
2005311003.tif 000006
【図５】
2005311003.tif 000007
【図６】
2005311003.tif 000008